(57)【要約】【課題】衣服が上下翼板の間に挟まれることを防止するための進入防止部を有するファスナー用スライダーに関し、表布がスライダーの上下翼板の間に挟まれることを防止すること。【解決手段】長手方向の一方の側には、対称的に取り付けられる多数の務歯が設けられ、長手方向の他方の側は、衣服に固定されるファスナーテープと、前記務歯が進入され、 互いに噛合するように対称的に取り付けられて、中心線上の案内柱の両側に結合される上下翼板と、上下翼板のうちのいずれか一方に設けられ、 引手が 取り付けられる引手取付部とを備えるファスナー用スライダーにおいて、表布が上記スライダーの上下翼板の間に進入されることを防止するために、前記上下翼板のいずれか一方または両方の側から前方に向かって延びてなる進入防止部を備える。これにより、ファスナーの使用時に表布がスライダーに挟まれないように設けられた進入防止部によりファスナーの作動不能を防止することができる。【選択図】図２
2018514314.tif 000002
【特許請求の範囲】
【請求項１】
長手方向の一方の側に対称的に取り付けられる多数の務歯１１ａ と、長手方向の他方の側に設けられ、衣服に固定されるファスナーテープと、前記務歯が進入され、 互いに噛合するように対称的に取り付けられている前記務歯と噛み合い、中心線上に設けられる案内柱と、案内柱の両側に結合される上下翼板と、上下翼板のうちのいずれか一方に設けられ、 引手が取り付けられる引手取付部とを備えるファスナー用スライダーにおいて、
表布がスライダーの上下翼板の間に進入されることを防止するために、前記スライダーの上下翼板のいずれか一方または両方の側から前方に向かって延びてなる進入防止部を備える
ことを特徴とする衣服の挟み込み防止用進入防止部を有するファスナー用スライダー。
【請求項２】
前記進入防止部は、平面視において、両側の角部が突出するように中央部に凹溝が形成される
請求項１に記載の衣服の挟み込み防止用進入防止部を有するファスナー用スライダー。
【請求項３】
前記進入防止部は、一側から見ると、前記引手取付部の先端から前方に向かって厚さが徐々に薄くなる傾斜面を有する
請求項１に記載の衣服の挟み込み防止用進入防止部を有するファスナー用スライダー。
【発明の詳細な説明】
【技術分野】
【０００１】
本発明は、ファスナー用スライダーに係り、より詳細には、ファスナー用スライダーの前方部の形状を変更することにより、ファスナーをかみ合わせて閉じる際に、ファスナーに隣接した内容物、すなわち、表布がファスナーに噛み込まれることを防止する、すなわち衣服が挟まれることを防止する進入防止部を有するファスナー用スライダーに関する。
【背景技術】
【０００２】
一般に、様々なファスナーが衣服などの開閉のために用いられている。
【０００３】
例えば、図１ａに示すような従来のファスナーＺが代表的であり、この従来のファスナーＺは、以下のように構成されている。
【０００４】
従来の衣服用ファスナーＺは、長手方向の一方の側に対称的に配設された複数の務歯Ｃと、長手方向の他方の側に配設され、衣服に固定されるファスナーテープＴと、前記務歯Ｃをかみ合わせて閉じるスライダーＳと、を備える。
【０００５】
スライダーＳは、ガイド部Ｇと、 結合部Ｊと、引手Ｈが取り付けられる引手取付部Ｋと、を備える。
【０００６】
ガイド部Ｇは、分けられたスライダーＳの上下部を連結し、務歯Ｃの開閉動作をスムーズに行うためのものである。
【０００７】
結合部Ｊは、前記ガイド部Ｇにより案内される務歯Ｃを噛み合わせるために設けられる。すなわち、ガイド部Ｇにより案内された務歯Ｃは、前記結合部Ｊの後方の狭幅部Ｒで互いに噛み合わせられる。
【０００８】
しかしながら、このような従来のファスナーＺは、図示したように、結合部Ｊにより案内される務歯Ｃとともに表布が同時に結合部Ｊの間に進入されて挟まれてしまうという問題が頻繁に発生した。
【０００９】
また、この表布を抜け出す過程において、ファスナーが壊れたり衣服が損傷したりするという問題が頻繁に発生し、これは致命的であった。
【００１０】
このような問題を解決するために、図１ｂに示すように、韓国公開特許１０−２０１４−００９６３８１号には、「服が挟まないジッパー」が開示されている。これによれば、衣服や他の布地等が挟まれることを防止するために、従来のスライダーＳと務歯（図示せず）との間の隙間を除去するための傾斜面Ｄをさらに含み、その傾斜面ＤがスライダーＳを通過する務歯（図示せず）に密着できるようにすることにより、スライダーＳと務歯（図示せず）とを結合する際に衣服や布地が挟まれてしまうことを防止する。
【００１１】
しかし、上記と同様に、スライダーに表布が挟まれて破れたり、ファスナーが作動しなくなるという問題があった。
【００１２】
また、このような従来のファスナーのスライダーの場合、スライダーの内部に傾面を付加することにより、最初の進入部であるスライダーの入口に形成される余裕空間が小さくなり、そのため、ファスナーをかみあわせて閉じる過程において、従来のファスナーよりも強い摩擦が発生し、これによりファスナー固有構成の製品の寿命が短くなる可能性があり、しかも結合および解除のための過程でスムーズな作動を妨げるという致命的な問題を引き起こす恐れがある。
【発明の概要】
【発明が解決しようとする課題】
【００１３】
本発明は、上述した従来の問題を解決するために案出されたものであり、本発明の目的は、ファスナーを使用する際に、表布がスライダーに挟まれたり、ファスナーが作動不能となったりすることを防止することである。
【課題を解決するための手段】
【００１４】
上記目的を達成するために、本発明は、長手方向の一方の側に対称的に取り付けられる多数の務歯と、長手方向の他方の側に設けられ、衣服に固定されるファスナーテープと、前記務歯が進入され、 互いに噛合するように対称的に取り付けられている前記務歯と噛み合い、中心線上に設けられる案内柱の両側に結合される上下翼板と、上下翼板のうちのいずれか一方に設けられ、引手が取り付けられる引手取付部とを備えるファスナー用スライダーにおいて、前記ファスナー用スライダーは、表布がスライダーの上下翼板の間に進入されることを防止するために、前記スライダーの上下翼板のいずれか一方または両方の側から前方に向かって延びてなる進入防止部を備える。
【００１５】
また、前記進入防止部は、平面視において、両側の角部が突出するように中央部に凹溝が形成される。
【００１６】
さらに、前記進入防止部は、一側から見ると、前記引手取付部の先端から前方に向かって厚さが徐々に薄くなる傾斜面を有する。
【発明の効果】
【００１７】
以上で詳細に説明したように、本発明によれば、ファスナーの使用時に表布がスライダーに挟まれないように設けられた進入防止部によりファスナーの作動不能を防止することができる。
【図面の簡単な説明】
【００１８】
【図１ａ】従来のファスナーを模式的に示す斜視図
【図１ｂ】従来のファスナー用スライダーを抜き出して示す斜視図
【図２】本発明の実施形態に係るファスナー用スライダーを示す斜視図
【図３】図２の“Ａ”方向から見たファスナー用スライダーを示す斜視図
【図４】本発明によるファスナー用スライダーの作用効果を示す斜視図
【図５】図４の“Ｂ−Ｂ線”に沿う断面図
【図６】本発明の他の実施形態に係るファスナー用スライダーを示す斜視図
【図７】本発明のまた他の実施形態に係るファスナー用スライダーを示す斜視図
【発明を実施するための形態】
【００１９】
図２乃至図５を参照すると、本発明に係る衣服が挟まれることを防止する進入防止部１００を有するファスナー用スライダー（１３）（以下、「スライダー」と称する）は、務歯１１ａが進入され、互いに噛合するように対称的に取り付けられている務歯１１ａと噛み合い、中心線上に設けられる案内柱１３ａと、この案内柱３ａの両側に結合される対称形の上下翼板１３ｂと、上下翼板１３ｂのうちのいずれか一方に設けられ、 引手１７が 取り付けられる引手取付部１５と、進入防止部１００とを備えてなる。
【００２０】
本発明は、進入防止部１００を有するスライダー１３を除いては、従来の構成と同様であるので、同一の構成要素についての詳細な説明は省略する。
【００２１】
進入防止部１００は、図示の方向を参照すると、前記スライダーの上下翼板１３ｂのいずれか一方または両方の側から前方に向かって延びてなる。
【００２２】
このように、進入防止部１００が前方に延設された理由は、図４に示すように、務歯１１ａがスライダー１３の上下翼板１３ｂの間に進入するときに、この務歯１１ａの進入前に表布１１ａａが先に上下翼板１３ｂの間に進入することを防止するためである。
【００２３】
この進入防止部１００は、平面視において、 両側の角部が突出するように中央部に凹溝が形成される。
【００２４】
図示したように、凹溝１０１は、 円弧形状を有していてよく、「┌┐」字状を有していても本発明の目的を達成することができる。
【００２５】
次に、図４及び図５に基づいて、本発明に係る進入防止部１００を有するスライダー１３の作用効果について説明する。
【００２６】
図示したように、まず、スライダー１３がファスナ１０の一側に移動する同時に、進入防止部１００が移動する。このとき、務歯１１ａと表地１１ａａとの間の先端に進入防止部１００が位置して表布１１ａａのスライダー１３への進入を防止する。
【００２７】
図６は、本発明に係る進入防止部１００の他の実施形態を示す。この進入防止部１００は、一側から見ると、前記引手取付部１５の先端から前方に向かって厚さが徐々に薄くなる傾斜面１０３を有する。
【００２８】
このように、 進入防止部１００に先端から前方に向かって厚さが徐々に薄くなる傾斜面１０３（「Ｒ」表示部）を形成した理由は、 進入防止部１００が務歯１１ａと表布１１ａａとの間を容易に移動できるようにするとともに、表布１１ａａのスライダー１３への進入可能性を最大限に排除するためである。
【００２９】
図７は、本発明のまた他の実施形態に係る進入防止部１００を示す図であり、進入防止部１００をその両側から扇状（「Ａ」の表示部分）に拡大して務歯１１ａ と表布１１ａａを根本的に遮断させることにより、表布１１ａａがスライダー１３の上下翼板１３ｂの間に進入することを根本的に防止する。
【００３０】
このように、本発明に係る進入防止部１００を有するスライダー１３によれば、ファスナー１０の作動中に、スライダー１３の前方に延びた進入防止部１００によって表布１１ａａがスライダー１３の上下翼板１３ｂの間に進入することを根本的に防止することにより、表布１１ａａの破損を防止する。
【００３１】
また、表布１１ａａが上下翼板１３ｂの間に進入することを基本的に防止することにより、ファスナー１０の寿命を延長する。
【００３２】
本発明は、上述した特定の好ましい実施形態に限定されるものではなく、 請求の範囲で請求する本発明の要旨を逸脱することなく、本発明が属する技術分野において通常の知識を有する者によって多様な変形実施が可能なことは勿論であり、このような変形実施は本発明の請求範囲の記載範囲にある。
【図１ａ】
2018514314.tif 000003
【図１ｂ】
2018514314.tif 000004
【図２】
2018514314.tif 000005
【図３】
2018514314.tif 000006
【図４】
2018514314.tif 000007
【図５】
2018514314.tif 000008
【図６】
2018514314.tif 000009
【図７】
2018514314.tif 000010
【国際調査報告】
2018514314.tif 000011
2018514314.tif 000012
2018514314.tif 000013
2018514314.tif 000014